(57)【要約】【課題】混合廃棄物等の被処理物の選別生産性を向上することができる風力選別機を提供する。【解決手段】風力により混合廃棄物を選別する風力選別機１００において、ベースフレーム６と、その長手方向一方側に設けたピン１０を介してベースフレーム６に傾動可能に支持された本体支持フレーム５と、この本体支持フレーム５上に回転可能に支持された本体回転ドラム１と、この本体回転ドラム１の長手方向他方側に設けたホッパ３と、本体回転ドラム１の長手方向一方側からホッパ３に向けて延在するように設けた投入コンベア４０と、本体回転ドラム１の長手方向一方側に設けられ、投入コンベア４０によりホッパ３に投入され本体回転ドラム１内を移動する混合廃棄物に吹き付けるための空気流を生起するブロア４とを備える。【選択図】　図２
2004130250.tif 000002
【特許請求の範囲】
【請求項１】
風力により混合物を選別する風力選別機において、
フレームと、
その長手方向一方側に設けた傾動支点を介し前記フレームに傾動可能に支持された筒状部材と、
この筒状部材の長手方向他方側に設けたホッパと、
前記筒状部材の長手方向一方側から前記ホッパに向けて延在するように前記筒状部材に設けたコンベアと、
前記筒状部材の長手方向一方側に設けられ、前記コンベアにより前記ホッパに投入され前記筒状部材内を移動する混合物に吹き付けるための空気流を生起する送風機と
を備えたことを特徴とする風力選別機。
【請求項２】
請求項１記載の風力選別機において、前記コンベアを、前記筒状部材の長手方向他方側を傾動支点として前記筒状部材に対し傾動可能に設けたことを特徴とする風力選別機。
【発明の詳細な説明】
【０００１】
【発明の属する技術分野】
本発明は、混合物中に含まれる様々な物を、その重量に応じて選別する風力選別機に関するものである。
【０００２】
【従来の技術】
例えば、廃棄物（ごみ）は、大きく分けて一般家庭や小売店、レストランから出される一般廃棄物と、事業活動に伴って生じた産業廃棄物に分けられる。中でも産業廃棄物は、事業活動に伴って生じることから特定の性状のものが大量に発生する場合が多く、例えば建築物の解体現場では、通常、コンクリート塊、木材片、ガラス片、壁土、新建材、金具等が細かいばらものとなった解体屑、またはミンチと称するそれらの混合物が発生し、これが粗大廃棄物と混在して混合廃棄物となることが多い。この混合廃棄物中には、上記以外にも、廃プラスチック類、ゴムくず、がれき類等が含まれる場合もある。
【０００３】
昨今、建設副産物の再利用の気運の高まりから、このような混合廃棄物を発生させないために、分別解体の推奨や分別搬出の義務付けがなされようとしているが、その発生を皆無にすることは難しいのが現状である。
【０００４】
そこで、このような混合廃棄物の分別を行うために、風力を用いて廃棄物の選別を行う風力選別機がある。
【０００５】
この風力選別機としては、例えば特開２００１−３００４２７号公報に記載のような、傾動可能な筒状部材（選別機本体）と、この筒状部材の略中央部に設けたホッパと、筒状部材の低位置側（傾斜したときの低位置側）端部に設けられ筒状部材に空気流を送り込む送風機（風供給手段）と、筒状部材の低位置側下部に設けた重量物排出用の排出口と、筒状部材の高位置側（傾斜したときの高位置側）端部に設けた軽量物排出用の排出口（筒体）とを備えたものがある。この従来技術では、ホッパから筒状部材内へ投入された混合廃棄物等の被処理物に選別用の空気流を衝突させることで、被処理物中の軽量物を高位置側端部の排出口より排出し、重量物のみを低位置側の排出口から落下させて選別するようになっている。この風力選別機では、筒状部材の傾斜角度を調整することで被処理物の筒状部材内での滞在時間を変化させ、所望する比重の被処理物を選別することができるようになっている。
【０００６】
【特許文献１】
特開２００１−３００４２７号公報
【０００７】
【発明が解決しようとする課題】
上述した風力選別機は筒状部材の傾斜角度を調整することができるので、被処理物の選別精度を向上させるためには、投入される被処理物の性状等に応じ、その都度筒状部材の傾斜角度を変更することが効果的である。
【０００８】
しかしながら、上記従来技術では以下のような課題が存在する。
一般に、混合廃棄物等の被処理物を選別する際には、その被処理物はコンベア（投入コンベア、二次選別機として用いる場合には一次選別機の排出コンベア）によりホッパに投入される。そして、上記従来技術によれば、筒状部材に設けたホッパが傾動支点（軸）より高位置側にあるため、筒状部材の傾斜角度を変更する都度ホッパの高さが変動する。このため、傾斜角度を変更する度にコンベアの高さ調整を行わなければならなくなる。しかも、例えばこのコンベアが一次選別機の排出コンベア等の固定式のものである場合には排出高さを調整することができず、一次選別機から排出される被処理物を風力選別機のホッパまで搬送する中間コンベアを別途設置する必要が生じる。また、この中間コンベアについても筒状部材の傾斜角度の変更の度に高さ調整を行うか、あるいは高さの異なる複数の中間コンベアを用意して取り替える必要がある。以上のように、上記従来技術の風力選別機は、コンベアの高さ調整作業、又は中間コンベアの設置作業及び高さ調整・交換作業が必要となる分、被処理物の選別作業時間が減少することとなり、その結果、生産性が低下していた。
【０００９】
本発明は、上記従来技術の問題に鑑みてなされたものであり、その目的は、混合廃棄物等の被処理物の選別生産性を向上することができる風力選別機を提供することにある。
【００１０】
【課題を解決するための手段】
（１）上記目的を達成するために、本発明は、風力により混合物を選別する風力選別機において、フレームと、その長手方向一方側に設けた傾動支点を介し前記フレームに傾動可能に支持された筒状部材と、この筒状部材の長手方向他方側に設けたホッパと、前記筒状部材の長手方向一方側から前記ホッパに向けて延在するように前記筒状部材に設けたコンベアと、前記筒状部材の長手方向一方側に設けられ、前記コンベアにより前記ホッパに投入され前記筒状部材内を移動する混合物に吹き付ける空気流を生起する送風機とを備えるものとする。
【００１１】
一般に、風力選別機においては、筒状部材の傾斜角度を調整することで混合物の筒状部材内での滞在時間を変化させ、所望する比重の被処理物を選別するようになっている。したがって、混合物の選別精度を向上させるためには、投入される混合物の性状等に応じ、その都度筒状部材の傾斜角度を変更することが効果的である。
【００１２】
本発明においては、混合物をホッパに向けて搬送し筒状部材内に投入するコンベアを、長手方向一方側（傾斜したときの低位置側）から長手方向他方側（傾斜したときの高位置側）に向けて延在するように筒状部材に設け、これら筒状部材とコンベアとを長手方向一方側に設けた傾動支点を支点としてフレームに対し傾動させるので、上述したように混合物の選別精度向上のために筒状部材を傾動させてその傾斜角度を変更しても、外部からの混合物の受け入れ場所であるコンベアの低位置側末端の高さ方向の位置変化を少なくすることができる。この結果、傾斜角度を変更するたびにコンベアの高さ調整作業、又は中間コンベアの設置作業及び高さ調整・交換作業が必要となる前述の従来技術のような構造に比べ、その余分な作業が不要となる分、風力選別機による混合物の選別作業時間を増加させることができる。したがって、混合物の選別生産性を向上することができる。
【００１３】
（２）上記（１）において、好ましくは、前記コンベアを、前記筒状部材の長手方向他方側を傾動支点として前記筒状部材に対し傾動可能に設けるものとする。
【００１４】
これにより、外部からの混合物の受け入れ場所であるコンベアの低位置側末端の高さを任意に変更できるので、混合物の受け渡し高さを最適な高さに容易に調整することができる。また、混合物の受け入れ場所の高さを任意に変更できることにより、本発明の風力選別機を例えば既存のプラントに追加する際等にその組み込み箇所の自由度が大きくなり、その結果、その既存のプラント内でのレイアウトの自由度を大きくすることができる。
【００１５】
【発明の実施の形態】
以下、本発明の風力選別機の一実施の形態を図１乃至図６を参照しつつ説明する。
図１は、本発明の風力選別機の一実施の形態の内部構造を表す側断面図である（但し、後述する投入コンベア４０については図示省略）。この図１において、１００は例えば最終処分場等に設けられる風力選別機である。また、１は筒状部材としての本体回転ドラム、２は本体回転ドラム１を回転駆動する駆動手段としての本体回転ドラム駆動モータ、３は後述の投入コンベア４０により搬送される混合廃棄物Ｍを受け入れる投入口として本体回転ドラム１の長手方向一方側（図１中右側）に設けたホッパ、４はブロア（送風機）、５は本体支持フレーム、６はベースフレーム（フレーム）であり、これらは上記風力選別機１００に備えられている。また、７，８，９は風力選別機１００の長手方向一方側に設置したフィルタ装置、フィルタ側ベースフレーム、軽量物分離チャンバである。
【００１６】
本体支持フレーム５は、ピン１０を介してベースフレーム６に対して回動可能（傾動可能）に接続されている。１１はその傾動動作用のシリンダ（例えば電動シリンダ、油圧シリンダ等）であり、一端側（図１中下側）がピン１２を介しベースフレーム６に設けたブラケット１３に回動自在に接続されており、他端側（図１中上側）がピン１４を介し本体支持フレーム５に設けたブラケット１５に回動自在に接続されている。このような構造により、シリンダ１１の伸縮動作によって本体回転ドラム１をピン１０を回動支点として所望の傾斜角度（＝任意の傾斜状態、但し水平状態を含む）に保持可能となっている。
【００１７】
本体回転ドラム１は、詳細な支持構造の図示及び説明を省略するが、回転ドラム支持ローラ１６ａ，１６ｂを介して本体支持フレーム５に対し回転自在に支持されており、図１中右側の回転ドラム支持ローラ１６ｂに上述の回転ドラム駆動モータ（電動モータ、又は油圧モータ、あるいはエンジン直結でもよい。また可変速として回転速度を自在に調節できるようにしてもよい）２の駆動力が伝達されることにより、本体回転ドラム１はその軸心線（図示省略）まわりに回転駆動されるようになっている。
【００１８】
また、１７は外郭を構成するドラム本体、１８は長手方向他方側（図１中左側）端部に設けた重量物排出口、１９は長手方向一方側（図１中右側）端部に設けた廃棄物導入口（軽量物排出口を兼ねる）、２０は長手方向一方側において廃棄物導入口１９よりも長手方向他方側に設けた中間物排出口、２１はこの中間物排出口２０に設けたスクリーン、２２はスクリーンカバーである。
【００１９】
２３ａ，２３ｂ，２３ｃはこの順序で中間物排出口２０側から重量物排出口１８側に間隔をおいてそれぞれ配列した流路形成ブロックであり、それぞれが略円環状形状となっており、その外周面がドラム本体１７の内周面に密着するように固定されている。２４ａ，２４ｂ，２４ｃはそれぞれ、流路形成ブロック２３ａの廃棄物導入口１９側、流路形成ブロック２３ａ，２３ｂの間、流路形成ブロック２３ｂ，２３ｃの間に設けた掻き上げ板であり、各掻き上げ板２４はそれぞれドラム本体１７内周面の円周方向複数箇所（例えば４箇所、但し数及びピッチは導入する最大廃棄物大きさを考慮し、廃棄物が掻き上げ板２４，２４間に挟み込まれ固まって不動とならないようにする）に所定ピッチで配列固定されている。このような構造によって、本体回転ドラム１内の流路において、流路形成ブロック２３ａ，２３ｂ，２３ｃの内周側には他の部分よりも流路断面積が小さな小径部２５Ａ，２５Ｂ，２５Ｃがそれぞれ形成されるとともに、小径部２５Ａと廃棄物導入口１９との間、小径部２５Ａ，２５Ｂの間、小径部２５Ｂ，２５Ｃの間、小径部２５Ｃと重量物排出口１８との間に、大径部２６Ａ，２６Ｂ，２６Ｃ，２６Ｄがそれぞれ形成される。言い換えれば、これら小径部２５Ａ，２５Ｂ，２５Ｃ及び大径部２６Ａ，２６Ｂ，２６Ｃ，２６Ｄは、ドラム本体１７の両端部を除く長手方向中間部に、廃棄物導入口１９側から大径部２６Ａ、小径部２５Ａ、大径部２６Ｂ、小径部２５Ｂ、大径部２６Ｃ、小径部２５Ｃ、大径部２６Ｄの順で交互に配置されている。
【００２０】
なお、後述するように、廃棄物導入口１９から導入された混合廃棄物Ｍ（特に重量物Ｈ）はドラム本体１７内をその長手方向に図１中左側（言い換えれば重量物排出口１８側）に流れ、このとき、各流路形成ブロック２３ａ，２３ｂ，２３ｃの廃棄物導入口１９側（図１中右側）壁面２３ａＡ，２３ｂＡ，２３ｃＡは、その流れる混合廃棄物Ｍを対応する小径部２５Ａ，２５Ｂ，２５Ｃの手前で捕捉する段付き部として機能する（各流路形成ブロック２３ａ，２３ｂ，２３ｃにより段付き部が形成される）。また、前述の掻き上げ板２４ａ，２４ｂ，２４ｃはそれぞれ、段付き部としての上記各流路形成ブロック壁面２３ａＡ，２３ｂＡ，２３ｃＡで捕捉された混合廃棄物Ｍを回転ドラム１の回転とともにその回転方向に掻き上げて同伴させる掻き上げ機能を有する。また、流路形成ブロック２３ｃの重量物排出口１８側（図１中左側）壁面２３ｃＢはテーパ形状となっており、ここまで到達した重量物Ｈが重量物排出口１８まで自重ですばやく円滑に転げ落ちるように図られている。
【００２１】
２７は、本体支持フレーム５の軽量物分離チャンバ９側（図１中右側）端部近傍に支持部材２８を介して固定された通路部材であり、ホッパ３を上部に接続するホッパ接続部２７ａと、このホッパ接続部２７ａより回転ドラム１側（図１中左側）に設けられ、ホッパ３から投入されホッパ接続部２７ａを介し導入された混合廃棄物Ｍを導出する拡径形状の導出部２７ｂと、ホッパ接続部２７ａより軽量物分離チャンバ９側（図１中右側）に設けられた軽量物排出部２７ｃとを備えている。このような構造により、通路部材２７は、ホッパ接続部２７ａの下方位置が空気流方向におけるその前後部分（導出部２７ｂ及び軽量物排出部２７ｃ）に比べて縮径したいわゆるベンチュリ管状の形状となっている。この結果、空気流方向に絞りを設けたのと同等となってこの部分の静圧が低下し、ホッパ接続部２７ａを介した空気流の吹き出しを低減し、投入混合廃棄物Ｍの逆流を防止するようになっている。また、導出部２７ｂはドラム本体１７の廃棄物導入口１９を含む図１中右側端部１７ａ近傍を覆うように、かつ固定側であるその端部２７ｂＡが回転側であるドラム本体端部１７ａとの間にわずかな隙間を介在させるように、配置されている。
【００２２】
ホッパ３は、長手方向他方側（図１中左側）に投入口３ａを有しており、この投入口３ａに後述の投入コンベア４０によって搬送される混合廃棄物Ｍが投入されるようになっている。
【００２３】
ブロア４は、本体支持フレーム５の図１中左側端部近傍に支持部材２９を介して固定されており、ブロア駆動モータ３０（電動モータ、又は油圧モータ、あるいはエンジン直結でもよい。また可変速として風速を自在に調節できるようにしてもよい）によって駆動され混合廃棄物Ｍ中の軽量物Ｌを重量物Ｈから選別し搬送するための空気流を生起する。３１はブロア４の出口側に接続された送風ダクト、３２は送風ダクト３１の送風方向下流側に配置された略円板状のダクトガードである。このダクトガード３２は、その径方向中心側領域は例えば格子状のフィルタ部となっており、送風ダクト３１からの空気流に含まれる粗大な異物をブロックし本体回転ドラム１内への流入を防止している。そしてダクトガード３２は、全体として、ドラム本体１７の重量物排出口１８を含む図１中左側端部１７ｂ近傍を覆うように、かつ固定側であるその端部３２ａが回転側であるドラム本体端部１７ｂとの間にわずかな隙間を介在させるように、配置されている。また３３は送風ダクト３１に連続するように延設される送風フードであり、ブロア４で生起された空気流は、送風ダクト３１、送風フード３３を介し本体回転ドラム１内に供給される。このとき、送風フード３３は、大径部２６Ｄのうち重量物Ｈを排出する固定側の排出シュート３４側の領域には開口部３３Ａを臨ませて重量物Ｈを排出可能とする一方、排出シュート３４と反対側の領域を仕切ってそちらには空気流や重量物Ｈの流れが流れないようにする役割を果たしている。
【００２４】
軽量物分離チャンバ９は、前述の通路部材軽量物排出部２７ｃに接続される入口側空気通路を構成する導入部９ａと、上記フィルタ装置７を設置する出口側空気通路を構成する空気流排出部９ｂと、下方に設けられる軽量物排出部９ｃとを備えている。また３５は下端部が前述のフィルタ側ベースフレーム８に、上端部が軽量物分離チャンバ９の下部に接続された公知のリンク機構であり、前述のようにピン１０を傾動支点として本体支持フレーム５が傾動することで軽量物排出部２７ｃの高さが変化するのに追従させて、軽量物分離チャンバ９の高さ方向位置を調整できるようになっている。また３６は、導入部９ａと通路部材２７の軽量物排出部２７ｃとの間に設けられた、例えば弾性材料からなるシール部材であり、前述のように本体支持フレーム５が傾動することで軽量物排出部２７ｃと導入部９ａとの間のなす角度等微妙な位置関係が変化しても、これらの間をシールし空気流の漏れのない接続を確保できるようになっている。
【００２５】
フィルタ装置７は、軽量物分離チャンバ９の空気流排出部９ｂに設けられ、導入部９ａから軽量物分離チャンバ９内に導入された軽量物Ｌを含む空気流から、軽量物Ｌを除去する機能を備えている。このフィルタ装置７により除去された軽量物Ｌは、軽量物排出部９ｃから軽量物分離チャンバ９の下方に排出されるようになっている。
【００２６】
ここで、本実施の形態の最も大きな特徴は、投入コンベアを風力選別機本体に搭載したことである。以下、この詳細について説明する。
図２は風力選別機１００の全体構造を表す一部断面で示す側面図、図３は図２中矢印Ａ方向から見た風力選別機１００の矢視後面図（但し、ベースフレーム６は図示せず）、図４は一部断面（図２中ＩＶ−ＩＶ面相当）で示す風力選別機１００の正面図（但し、ベースフレーム６は図示せず）である。
【００２７】
これら図２乃至図４において、４０は投入コンベア（コンベア）である。また、４１はコンベアフレーム、４２，４３はこのコンベアフレーム４１の両端に設けた駆動輪及び従動輪、４４はこれら駆動輪４２及び従動輪４３に巻き回され、図示しない駆動モータによって駆動輪４２が回転駆動されることにより循環駆動する搬送ベルトであり、これらは上記投入コンベア４０に備えられる。
【００２８】
また、４５，４６は略門型形状をしたコンベア支持架台であり、コンベア支持架台４５，４５は本体回転ドラム１に覆い被さるようにして本体支持フレーム５に設けられ、コンベア支持架台４６は支持部材２９に設けられている。投入コンベア４０は、これらコンベア支持架台４５，４６によりコンベアフレーム４１が支持固定されることによって、本体回転ドラム１の上方にその長手方向が本体回転ドラム１の長手方向と略平行となるように並列に配設されている。このとき、投入コンベア４０は、その従動輪４３側末端がホッパ３の投入口３ａに挿し込まれ、駆動輪４２側末端がコンベア支持架台４６から長手方向他方側（図２中左側）に突き出るように配置されている。
【００２９】
３０１は、本風力選別機１００を例えば二次選別機として用いる場合に、その前段の一次選別を行う一次選別機３００（後述の図６参照）の排出コンベアである（又は別途用意する中間コンベアでもよい）。また、４７は、投入コンベア４０の長手方向他方側においてその短手方向両側に取り付けられ、上方に向けて拡開形状をした煽り板である。この煽り板４７，４７により、上記排出コンベア３０１から受け渡される混合廃棄物を効率良く搬送ベルト４４上に導入することができるようになっている。このとき、この混合廃棄物の受け入れ場所である投入コンベア４０の煽り板設置箇所は、本体支持フレーム５の傾動支点であるピン１０の略上方に位置しており、本体支持フレーム５を傾動させ本体回転ドラム１の傾斜角度を変更した場合にも、その混合廃棄物の受け入れ位置の高さ方向の変化が小さくなるようになっている。
【００３０】
なお、上記図２においては、風力選別機１００の長手方向他方側（図２中左側）から投入コンベア４０に混合廃棄物を受け渡すようにしたが、例えば図５に示すように片側の煽り板４７を取り外すことで、短手方向（すなわち横方向）から混合廃棄物を受け渡すことも可能である。これにより、本風力選別機１００が設置される最終処分場等内におけるレイアウトの自由度を大きくすることができるようになっている。
【００３１】
以上において、ピン１０はフレームの長手方向一方側に設けた傾動支点を構成する。
【００３２】
次に、上記構成の本発明の風力選別機の一実施の形態の動作及び作用を以下に説明する。
上記構成の風力選別機１００において、図１に示すようにシリンダ１１を伸長させて本体回転ドラム１の廃棄物導入口１９側が高くなるように本体支持フレーム５を傾斜させ保持した後、本体回転ドラム駆動モータ２を駆動すると、回転ドラム支持ローラ１６ａ，１６ｂを介し本体回転ドラム１はその軸心線まわりに回転する。そしてブロア駆動モータ３０を駆動すると、ブロア４から空気流が生起されて送風ダクト３１、送風フード３３を介し本体回転ドラム１内に供給され、さらに通路部材２７の導出部２７ｂで絞られ、軽量物排出部２７ｃから軽量物分離チャンバ９内に吹き出される。
【００３３】
この状態で、例えばコンクリート塊、木材片、ガラス片、がれき類等の重量物Ｈやビニールシート、紐状あるいはフィルム状の物等の軽量物Ｌ等が混在した混合廃棄物Ｍが、一次選別機３００の排出コンベア３０１から投入コンベア４０に受け渡されると、搬送ベルト４４により傾斜方向上方に向かって搬送され、ホッパ３の投入口３ａより投入される。投入された混合廃棄物Ｍは、通路部材ホッパ接続部２７ａより下方に導入されて上記の空気流が吹き付けられて衝突され、大部分の軽量物Ｌはこの空気流に載って（風力によって）選別され、空気流れの下流側（図１中右側）に搬送されて、軽量物分離チャンバ９内に導入される。一方、重量物Ｈは、空気流には載らず（重力によって風力に打ち勝ち）、上記のように本体支持フレーム５が傾斜していることから自重によって選別されなかった残りのわずかな軽量物Ｌとともに（その意味では正確には重量物Ｈと軽量物Ｌとの混合廃棄物である）通路部材導出部２７ｂから廃棄物導入口１９を介し本体回転ドラム１内に導入され、さらにドラム本体１７内周面に沿って本体回転ドラム１の長手方向他方側（図１中左側）へ向かって転がるようにして流れていく。このとき、重量物Ｈの流れ方向（＝空気流方向とは逆になる）最上流側の流路形成ブロック２３ａの壁面２３ａＡによって、上記のように傾斜に沿って流れる重量物Ｈは一旦捕捉され滞留する。このとき、壁面２３ａＡの手前側（図１中右側）の大径部２６Ａには周方向複数箇所に掻き上げ板２４ａが設けられていることから、上記捕捉された重量物Ｈは、掻き上げ板２４ａ，２４ａの間に滞留する。この結果、回転ドラム本体１が回転していることから、捕捉された重量物Ｈは掻き上げ板２４ａによってその回転方向に掻き上げて同伴され、高さ方向に大きく持ち上げられた後に重力で再び落下して攪拌され解きほぐされ、この落下するときに流路形成ブロック２３ａを乗り越えつつ小径部２５Ａを通過し、次の大径部２６Ｂに流入する。以下同様に、流入した重量物Ｈは再び流路形成ブロック２３ｂの壁面２３ｂＡによって捕捉されて大径部２６Ｂに設けた掻き上げ板２４ｂ，２４ｂの間に滞留し、回転ドラム本体１の回転と共に掻き上げ板２４ａによって持ち上げられた後に落下して解きほぐされ、流路形成ブロック２３ｂを乗り越えつつ小径部２５Ｂを通過し、次の大径部２６Ｃに流入する。さらに重量物Ｈは再び流路形成ブロック壁面２３ｃＡによって捕捉されて掻き上げ板２４ｃによって持ち上げられた後に落下して解きほぐされ、流路形成ブロック２３ｃを乗り越え小径部２５Ｃを通過し、最終段の大径部２６Ｄに流入する。
【００３４】
このように、大径部２６に滞留→掻き上げ板２４で持ち上げて落下→流路形成ブロック２３を乗り越えて小径部２５を通過→次の大径部２６に流入、という挙動を繰り返させることにより、例えば石、がれき等の重量物Ｈに、ビニールシート、紐状あるいはフィルム状の軽量物Ｌが強固に絡み合っていた等によって、軽量物Ｌが重量物Ｈに付着し塊を形成している場合であっても、その塊を確実に解きほぐし、軽量物Ｌを重量物Ｈから剥がし取り分離することができる。このときまた、小径部２５を通過し各流路形成ブロック２３を乗り越えるとき、ブロック２３のエッジによって軽量物Ｌを剥がしとる効果もある。さらに、小径部２５においては断面積の縮小（縮径）に伴って空気流の流速が増大するため、ここを通過するときにその速い空気流によって塊状となったものから軽量物Ｌを剥がし取ることで分離促進することができ、また大きな重量物Ｈが通過するときには、実質的な空気流通過断面積が減少してさらに空気流速が増大し、さらに分離促進することができる。なおこの空気流の流速増大は、軽量物Ｈが傾斜方向下側（重量物排出口側）に落ちていくのを確実に防止できる効果もある。
【００３５】
なお、ホッパ３に投入された混合廃棄物Ｍ内に、大径部２６Ａの空気流速では軽量物排出口（廃棄物導入口）１９まで吹き飛ばすことができず、かといって小径部（縮径部）２５Ａの風速では押し戻されて重量物排出口１８側へ向かって流路形成ブロック２３ａも乗り越えられないような小型、微細な重量物（例えば金属片等）が含まれる場合等は、大径部２６Ａから上記のスクリーン２１を介し中間物排出口２０より本体回転ドラム１外へ排出される。
【００３６】
以上のようにして軽量物Ｌが十分に分離された重量物Ｈは、大径部２６Ｄから重量物排出口１８、さらに排出シュート３４を介し、最終的に本体回転ドラム１の下方側端部（言い換えればブロア４側端部）から排出される。
【００３７】
一方、重量物Ｈから分離された軽量物Ｌは、ブロア４によって本体回転ドラム１内を吹き通されている空気流により傾斜を上る方向（図１中右側）へと搬送され、廃棄物導入口１９を介し本体回転ドラム１の上方側端部（言い換えればブロア４と反対側端部）から排出され、さらに通路部材２７の導出部２７ｂ、軽量物排出部２７ｃを経て軽量物分離チャンバ９内へと排出される。
【００３８】
以上のようにして混合廃棄物Ｍの選別が行われる風力選別機１００において、選別効果の強弱は、混合廃棄物Ｍの本体回転ドラム１内における滞在時間（すなわち本体回転ドラム１の傾斜角度）による。すなわち、本体回転ドラム１の傾斜角度が小さい場合には、ドラム内の混合廃棄物Ｍの自重による傾斜方向下側への流れ速度が遅くなるため、各流路形成ブロック２３の壁面に捉えられやすくなり、各掻き上げ板２４による攪拌・解きほぐし時間が長くなる。この結果、混合廃棄物Ｍを重量物Ｍと軽量物Ｌとに選別する効果が強くなる。一方、本体回転ドラム１の傾斜角度が大きい場合には、混合廃棄物Ｍの自重による傾斜方向下側への流れ速度が速くなるため、各流路形成ブロック２３の壁面に捉えられにくくなり、各掻き上げ板２４による攪拌・解きほぐし時間が短くなる結果、選別効果が弱くなる。このように、本風力選別機１００においては、本体回転ドラム１の傾斜角度を調整することで混合廃棄物Ｍのドラム内での滞在時間を変化させ、選別効果の強弱を調整する。したがって、選別精度を向上させるためには、投入される混合廃棄物Ｍの性状等に応じ、その都度本体回転ドラム１の傾斜角度を変更することが効果的である。
【００３９】
図６は、このときの本体回転ドラム１の傾斜角度を変更する動作を示す図である。尚、この図６では煩雑防止のため、煽り板４７及び軽量物分離チャンバ９等は図示省略する。
この図６に示すように、混合廃棄物Ｍが比較的選別しやすい性状である場合には図中アのように傾斜角度を比較的大きくし、例えば重量物Ｈに軽量物Ｌが強固に絡み合って混合物Ｍが比較的選別しにくい性状である場合には図中イのように傾斜角度を比較的小さくする。このように傾斜角度を変更するときの、一次選別機３００の排出コンベア３０１から投入コンベア４０へ受け渡される混合廃棄物Ｍの受け入れ位置（すなわち排出コンベア３０１の先端近傍を通過する鉛直線（図中１点鎖線ウで示す）と投入コンベア４０との交点の位置）の高さ方向の変化量は、図中両矢印エが示す範囲となる。
【００４０】
ここで、風力選別機が前述した従来技術のような投入コンベア４０を搭載していない構造である場合には、混合廃棄物Ｍの受け入れ位置となるホッパ投入口３ａの高さ方向の位置変化量は図６中両矢印オに示すように比較的大きくなり、一次選別機の排出コンベアの大幅な高さ調整作業が必要となる（本実施の形態では、例えば排出コンベア３０１を釣支する支持部材３０２を異なる長さのものに交換する作業等が必要となる）。さらに、一次選別機の排出コンベアが固定式で排出高さを調整できない場合や調整できてもその高さ調整が位置変化量オに及ばない場合には、一次選別機の排出コンベアから風力選別機１００の投入コンベア４０まで混合廃棄物Ｍを搬送する中間コンベアを別途設ける必要があり、しかもこの場合にはその中間コンベアの高さ調整作業又は高さの異なる中間コンベアへの交換作業が必要となる。このように、本体回転ドラム１の傾斜角度を変更するたびに、一次選別機の排出コンベアの高さ調整作業、又は中間コンベアの設置作業及び高さ調整・交換作業が必要となる。
【００４１】
これに対し、本実施の形態では、前述したように混合廃棄物受け入れ位置が本体支持フレーム５の傾動支点であるピン１０の略上方となるように構成するので、本体回転ドラム１の傾斜角度変更の際のその高さ位置の変化量を図中両矢印ウが示すように大幅に小さくすることができる。これにより、一次選別機排出コンベア３０１の高さ調整作業が不要となり、また中間コンベアが不要となることでその中間コンベアの設置作業及び高さ調整・交換作業についても不要となるので、この余分な作業が不要となる分、上記従来技術と比べて風力選別機１００による混合物の選別作業時間を大幅に増加させることができる。したがって、混合廃棄物の選別生産性を向上することができる。さらに、中間コンベアが不要となる分、風力選別機１００の設置時に必要となるスペースを小さくすることができ、最終処分場等の現場におけるレイアウトの自由度を大きくすることができる。
【００４２】
次に、本発明の風力選別機の他の実施の形態を図７を参照しつつ説明する。本実施の形態は、投入コンベア４０を本体回転ドラム１に対して傾動可能に設けたものである。
図７は、本発明の風力選別機の他の実施の形態の全体構成を一次選別機と共に表す側面図である。なお、この図７において、前述の一実施の形態における図２と同様の部分には同符号を付し、説明を省略する。
【００４３】
この図７において、２００は本実施の形態の風力選別機である。また、５０は投入コンベア４０の傾動動作用のシリンダ（例えば電動シリンダ、油圧シリンダ等）であり、一端側（図７中下側）がピン５１を介し支持部材２９に設けたブラケット５２に回動自在に接続されており、他端側（図７中上側）がピン５３を介しコンベアフレーム４１の長手方向一方側（図７中左側）に設けたブラケット５４に回動自在に接続されている。また、５５はコンベアフレーム４１の長手方向他方側（図７中右側）に設けたブラケットであり、このブラケット５５はコンベア支持架台４５の上端部にピン５６を介して回動自在に接続されている。このような構造により、シリンダ５０の伸縮動作によって投入コンベア４０をピン５６を回動支点として回動させ、本体回転ドラム１に対し所望の傾斜角度に保持可能となっている。このとき、回動支点であるピン５６が投入コンベア４０の長手方向他方側末端近傍に位置することにより、投入コンベア４０の長手方向他方側末端（すなわちホッパ３の投入口３ａに挿し込まれた部分）の回動動作による位置変化は極力小さくなるようになっている。
以上説明した部分以外の構成は前述の一実施の形態と同様であるので、説明を省略する。
【００４４】
上記構成の本発明の風力選別機の他の実施の形態によれば、本体支持フレーム５をベースフレーム６に対し傾動させて本体回転ドラム１及び投入コンベア４０を傾斜させた状態から、さらに投入コンベア４０を本体回転ドラム１に対し傾動させることができる。これにより、一次選別機３００の排出コンベア３０１からの混合廃棄物の受け入れ場所である投入コンベア４０の長手方向一方側（図７中左側）端部の高さを任意に変更することができ、混合廃棄物の受け渡し高さを最適な高さに容易に調整することができる。また、このように混合廃棄物の受け入れ位置の高さを任意に変更できることによって、風力選別機２００を例えば既存のプラントに追加する際等にその組み込み箇所の自由度が大きくなり、その結果、その既存のプラント内でのレイアウトの自由度を大きくすることができる。また、例えば混合廃棄物が選別しやすい性状であり、前述の一実施の形態の図６中アのように比較的傾斜角度を大きくした状態において、混合廃棄物が転がりやすい形状でその傾斜角度では投入コンベア４０で搬送しにくい場合などに、本体回転ドラム１の傾斜角度を変更せずに投入コンベア４０の傾斜角度のみ小さくして対応することができる。したがって、風力選別機２００で選別可能な混合廃棄物の対象範囲を拡大する効果も得ることができる。
【００４５】
なお、以上説明してきた本発明の風力選別機の一実施の形態及び他の実施の形態においては、本体回転ドラム１を回転駆動する構造としたが、これに限らず、本体ドラムが回転駆動しない構造の風力選別機に本発明を適用してもよい。
【００４６】
また、上記本発明の一実施の形態及び他の実施の形態においては、本体支持フレーム５のベースフレーム６に対する傾動駆動及び投入コンベア４０の本体回転ドラム１に対する傾動駆動をシリンダを用いて行うようにしたが、これに限らず、例えば棒状の支持部材で本体支持フレーム５又は投入コンベア４０を支持し、その支持部材の長さをターンバックル等によって可変させることにより、これら本体支持フレーム５又は投入コンベア４０を所望の傾斜角度に支持するようにしてもよいし、その棒状の支持部材に複数の挿通孔を設け、本体支持フレーム５又は投入コンベア４０に設けた突起部をその複数の挿通孔のうちの１つに選択的に嵌合させることで所望の傾斜角度に支持するようにしてもよい。また、チェーンブロック等の別途の支持手段で所望の傾斜角度に保持するようにしてもよい。
【００４７】
また、上記本発明の一実施の形態及び他の実施の形態においては、一次選別機３００により一次選別された混合廃棄物を風力選別機１００（又は風力選別機２００）に受け入れ二次選別を行うようにしたが、これに限らず、風力選別機１００（又は風力選別機２００）を単独で用いてもよい。このとき、例えば油圧ショベル等の重機により混合廃棄物を直接投入コンベア４０に投入すること等が考えられるが、この場合、前述したように投入コンベア４０の混合廃棄物の受け入れ位置の高さ変動が小さいことにより、油圧ショベル等の重機による投入作業性を向上することができる。
【００４８】
【発明の効果】
本発明によれば、コンベアを長手方向一方側から長手方向他方側に向けて延在するように筒状部材に設け、これら筒状部材とコンベアとが長手方向一方側を傾動支点としてフレームに対し傾動するので、選別効果の調整のために筒状部材の傾斜角度を変更しても、外部からの混合物の受け入れ場所であるコンベアの長手方向一方側末端の高さ変化を少なくすることができる。この結果、傾斜角度を変更するたびにコンベアの高さ調整作業、又は中間コンベアの設置作業及び高さ調整・交換作業が必要となる前述の従来技術のような構造に比べ、その余分な作業が不要となる分、風力選別機による混合物の選別作業時間を増加させることができる。したがって、混合物の選別生産性を向上することができる。
【図面の簡単な説明】
【図１】本発明の風力選別機の一実施の形態の内部構造を表す側断面図である。
【図２】本発明の風力選別機の一実施の形態の全体構造を表す一部断面で示す側面図である。
【図３】本発明の風力選別機の一実施の形態の全体構造を表す図２中矢印Ａ方向から見た矢視後面図である。
【図４】本発明の風力選別機の一実施の形態の全体構造を表す一部断面で示す正面図である。
【図５】本発明の風力選別機の一実施の形態の変形例の全体構造を表す一部断面で示す正面図である。
【図６】本発明の風力選別機の一実施の形態における本体回転ドラムの傾斜角度を変更する動作を示す図である。
【図７】本発明の風力選別機の他の実施の形態の全体構成を一次選別機と共に表す側面図である。
【符号の説明】
１　　　　　本体回転ドラム（筒状部材）
３　　　　　ホッパ
４　　　　　ブロア（送風機）
６　　　　　ベースフレーム（フレーム）
１０　　　　ピン（傾動支点）
４０　　　　投入コンベア（コンベア）
１００　　　風力選別機
２００　　　風力選別機
Ｍ　　　　　混合廃棄物（混合物）
【図１】
2004130250.tif 000003
【図２】
2004130250.tif 000004
【図３】
2004130250.tif 000005
【図４】
2004130250.tif 000006
【図５】
2004130250.tif 000007
【図６】
2004130250.tif 000008
【図７】
2004130250.tif 000009